(57)【要約】【課題】筐体に騒音の元となる外部吸気口及び外部排気口がなく、筐体側面に配置した放熱器及びカバーにより効率よく内部熱源部品の熱を奪い外部へ排出することが可能な密閉型の電子装置を提供する。【解決手段】内部に熱源部品を実装し、熱源部品の下方に配置したファンからの空気を熱源部品に当て、熱源部品によって暖められた空気を筐体内で循環させて冷却を行う密閉型の電子装置において、筐体の左右側面が、内側に凹溝部を有し鉛直方向に並んだフィンを複数備える放熱器で構成されると共に、放熱器のフィンを覆うカバーを備え、ファンからの送風により、熱源部品によって暖められた空気を放熱器のフィンの凹溝部に流し、暖められた空気をフィンに熱伝達させて外気中に放熱し、外気中に放出された熱をカバーとフィンとの間に形成された上下に開口を有する外部流路を流れる空気によって冷却が為されることを特徴とする。【選択図】図２
2014187502.tif 000002
【特許請求の範囲】
【請求項１】
内部に熱源部品を実装し、当該熱源部品の下方に配置したファンからの空気を前記熱源部品に当て、前記熱源部品によって暖められた空気を筐体内で循環させて冷却を行う密閉型の電子装置において、
前記筐体の左右側面が、内側に凹溝部を有し鉛直方向に並んだフィンを複数備える放熱器で構成されると共に、前記放熱器の前記フィンを覆うカバーを備え、
前記ファンからの送風により、前記熱源部品によって暖められた空気を前記放熱器の前記フィンの前記凹溝部に流し、当該暖められた空気を前記フィンに熱伝達させて外気中に放熱し、外気中に放出された熱を前記カバーと前記フィンとの間に形成された上下に開口を有する外部流路を流れる空気によって冷却が為されることを特徴とする電子装置。
【請求項２】
請求項１記載の電子装置において、前記凹溝部の中間部分を塞ぐように取り付ける内壁板を備え、
前記内壁板により、前記凹溝部の上部に吸入口、また、前記凹溝部の下部に排出口を有する内部流路が形成されることによって、前記熱源部品によって暖められた空気が前記内部流路に流れ込み、前記フィンに効率よく熱伝達が為されることを特徴とする電子装置。
【請求項３】
請求項１または請求項２記載の電子装置において、前記筐体内の中間部分に配置され、前記筐体内の空間を上下方向に仕切るための仕切板を備え、
前記仕切板に前記ファンを取り付けて、下部空間から上部空間に向かって前記ファンからの空気を流すことを特徴とする電子装置。
【請求項４】
請求項２または請求項３記載の電子装置において、前記内壁板は、断熱材によって形成されることを特徴とする電子装置。
【発明の詳細な説明】
【技術分野】
【０００１】
本発明は、密閉型電子装置の冷却構造に係り、特に、放送用カメラに適応可能な冷却構造を有する電子装置に関する。
【背景技術】
【０００２】
従来の放送用のテレビジョンカメラでは、カメラ筐体内部にファンを実装し、カメラ筐体下部に設けた吸気口から冷却用の空気を吸入して内部熱源の冷却を行い、内部熱源によって暖められた空気をカメラ筐体の上部または後部に設けた排気口から排出することによって、カメラ内部の冷却を行っていた。
【０００３】
特許文献１には、回路基板の電子回路デバイスで発生した熱をファンの対流による放熱と熱伝導による放熱で効率良く筐体外に排出することができ、筐体内の温度上昇が抑えられるようにしたテレビジョンカメラの技術が開示されている。
また、特許文献１のポータブルタイプのテレビジョンカメラでは、テレビジョンカメラの筐体に放熱用のファンが設けてあり、筐体の底部および側面下部に設けた吸気口から取り込まれた空気が、放熱フィンや複数の回路基板の間を通った後、筐体の背面側下部に設けた排気口から外部に排出されるようになっている。
【先行技術文献】
【特許文献】
【０００４】
【特許文献１】特開２０１１−１７２０５５号公報
【発明の概要】
【発明が解決しようとする課題】
【０００５】
しかし、放送用のスタジオカメラでは、特許文献１のようなポータブルタイプのテレビジョンカメラと異なり、筐体内にファンは設けられても、筐体の底部および側面下部に設けた吸気口から取り込んだ冷却用の空気を排出するための排気口を、筐体の背面側に設けることは構造上できない。
ここで、従来の放送用スタジオカメラのカメラ本体の冷却方法について、図７及び図８を参照して説明する。図７は、従来の放送用スタジオカメラのカメラ本体の外観を示す前方斜視図である。また、図８は、図７の放送用スタジオカメラのカメラ本体のアセンブリカット断面図である。なお、黒の太矢印は、冷却用の空気の流れを示している。
【０００６】
図７及び図８に示すように、従来の前面に大型レンズを装着し放送用スタジオカメラとして使用するカメラ本体１００では、カメラ本体１００の上部に空冷ファン１０１を配置し、カメラ本体１００の下部に設けた図示しない吸気口より空気を取り込み、取り込んだ空気で熱源部品１０２を冷却した後、暖められた空気を図示しない排気口から外部に排出する冷却構造となっていた。
しかし、カメラ本体１００の上部に空冷ファン１０１を配置したことにより、空冷ファン１０１の配置場所が制限され空間的に狭い部分に配置せざるをえず、空冷ファン１０１自体の大きさが制限されてしまうという問題があった。
また、カメラ本体１００に実装された様々な部品によって、吸気口から吸入された空気の流路が複雑になり、カメラ本体１００内部での空気の流れにムリが生じて効率よい冷却ができないという問題があった。
【０００７】
更に、冷却ファン１０１が小型になることによって、必要な流量を確保するために冷却ファン１０１を高速で回転しなければならず騒音になってしまうという問題があった。また、カメラ本体１００の上部に冷却ファン１０１を配置することによって、冷却ファン１０１がカメラマンにより近い位置関係となり、冷却ファン１０１による騒音がカメラマンに不快感を与える結果となっていた。
また、従来の放送用スタジオカメラでは、空気を取り込む吸気口、並びに外部に暖気を排出する排気口が必要であり、冷却ファン１０１による騒音が吸気口及び排気口から必ず漏れるため、静かなスタジオでは冷却ファン１０１の回転数を落としたり、時には冷却ファン１０１自体を停止させる必要があった。そのため、カメラ本体１００の内部温度が上昇し撮影に多大な影響を与えるという問題がった。
【０００８】
本発明は、この様な問題を解決するためになされたもので、筐体に騒音の元となる外部吸気口及び外部排気口がなく、筐体側面に配置した放熱器及びカバーにより効率よく内部熱源部品の熱を奪い外部へ排出することが可能な密閉型の電子装置を提供することを目的とする。
【課題を解決するための手段】
【０００９】
上記目的を達成するための本発明に係る電子装置は、内部に熱源部品を実装し、当該熱源部品の下方に配置したファンからの空気を前記熱源部品に当て、前記熱源部品によって暖められた空気を筐体内で循環させて冷却を行う密閉型の電子装置において、前記筐体の左右側面が、内側に凹溝部を有し鉛直方向に並んだフィンを複数備える放熱器で構成されると共に、前記放熱器の前記フィンを覆うカバーを備え、前記ファンからの送風により、前記熱源部品によって暖められた空気を前記放熱器の前記フィンの前記凹溝部に流し、当該暖められた空気を前記フィンに熱伝達させて外気中に放熱し、外気中に放出された熱を前記カバーと前記フィンとの間に形成された上下に開口を有する外部流路を流れる空気によって冷却が為されることを特徴とする。
【００１０】
上記目的を達成するための本発明に係る電子装置は、上記した電子装置において、前記凹溝部の中間部分を塞ぐように取り付ける内壁板を備え、前記内壁板により、前記凹溝部の上部に吸入口、また、前記凹溝部の下部に排出口を有する内部流路が形成されることによって、前記熱源部品によって暖められた空気が前記内部流路に流れ込み、前記フィンに効率よく熱伝達が為されることを特徴とする。
【００１１】
上記目的を達成するための本発明に係る電子装置は、上記した電子装置において、前記筐体内の中間部分に配置され、前記筐体内の空間を上下方向に仕切るための仕切板を備え、前記仕切板に前記ファンを取り付けて、下部空間から上部空間に向かって前記ファンからの空気を流すことを特徴とする。
【００１２】
上記目的を達成するための本発明に係る電子装置は、上記した電子装置において、前記内壁板は、断熱材によって形成されることを特徴とする。
【発明の効果】
【００１３】
以上説明したように、本発明によれば、筐体に騒音の元となる外部吸気口及び外部排気口がなく、筐体側面に配置した放熱器及びカバーにより効率よく内部熱源部品の熱を奪い外部へ排出することが可能な密閉型の電子装置を提供することができる。
【図面の簡単な説明】
【００１４】
【図１】本発明の実施の形態１に係る電子装置の一例を示す前方斜視図である。
【図２】本発明の実施の形態１に係る電子装置の構成を示す図である。
【図３】図１及び図５に示すＤ−Ｄ面で切断した場合の断面図である。
【図４】図３に示す断面図の前方斜視図である。
【図５】図１及び図３に示すＡ−Ａ面で切断した場合の断面図である。
【図６】図１及び図３に示すＢ−Ｂ面で切断した場合の断面図である。
【図７】従来の放送用スタジオカメラのカメラ本体の外観を示す前方斜視図である。
【図８】図７の放送用スタジオカメラのカメラ本体のアセンブリカット断面図である。
【発明を実施するための形態】
【００１５】
＜実施の形態１＞
［電子装置１の構成］
以下、本発明の実施の形態１に係る電子装置について、図１〜図６を参照して詳細に説明する。
図１は、本発明の実施の形態１に係る電子装置の一例を示す前方斜視図である。また、図２は、本発明の実施の形態１に係る電子装置の構成を示す図である。また、図３は、図１及び図５に示すＤ−Ｄ面で切断した場合の断面図であり、図４は、図３に示す断面図の前方斜視図である。また、図５は、図１及び図３に示すＡ−Ａ面で切断した場合の断面図である。また、図６は、図１及び図３に示すＢ−Ｂ面で切断した場合の断面図である。
本発明の実施の形態１に係る電子装置１は、前面に大型レンズを装着し放送局のスタジオ等で使用する放送用スタジオカメラのカメラ本体を例にして説明するが、屋内で使用する放送用スタジオカメラに限らず、屋外で使用される密閉型の電子装置であっても、本発明を適用することは可能である。
【００１６】
電子装置１の筐体部分は、図１及び図２に示すように、シャーシ１１と、シャーシ１１の左側面の開口を塞ぐようにシャーシ１１に取り付ける側面放熱器（ＬＦ）１２及び側面放熱器（ＬＢ）１３と、シャーシ１１の右側面の開口を塞ぐようにシャーシ１１に取り付ける側面放熱器（ＲＦ）１４及び側面放熱器（ＲＢ）１５と、側面放熱器（ＬＦ）１２及び側面放熱器（ＬＢ）１３をそれぞれ覆うようにしてシャーシ１１に取り付ける側面カバー（ＬＦ）２１及び側面カバー（ＬＢ）２２と、側面放熱器（ＲＦ）１４及び側面放熱器（ＲＢ）１５をそれぞれ覆うようにしてシャーシ１１に取り付ける側面カバー（ＲＦ）２３及び側面カバー（ＲＢ）２４とから構成されている。
【００１７】
シャーシ１１には、電子装置１の前後方向で空間を仕切るための仕切板（Ｍ）３５が取り付けられており、仕切板（Ｍ）３５を境にして、前方にＣＣＤ（Ｃｈａｒｇｅ  Ｃｏｕｐｌｅｄ  Ｄｅｖｉｃｅ）等の発熱を伴う熱源部品（Ｆ）３６が実装されており、また、後方に電子装置１を制御するための制御基板等の複数の基板が実装されており、それら基板にはＣＰＵ（Ｃｅｎｔｒａｌ  Ｐｒｏｃｅｓｓｉｎｇ  Ｕｎｉｔ）等の発熱を伴う熱源部品（Ｂ）３７が実装されている。また、熱源部品（Ｆ）３６の下方には、熱源部品（Ｆ）３６を冷却するためのファン（Ｆ）３１が配置されている。また、ファン（Ｆ）３１は、上下方向で空間を仕切るための仕切板（Ｆ）３３に取り付けられ、下部空間から上部空間に向かって空気を吐き出し、吐き出した空気が直接当たるよう熱源部品（Ｆ）３６を配置する。また、図５に示すように、熱源部品（Ｂ）３７の下方には、熱源部品（Ｂ）３７を冷却するためのファン（Ｂ）３２が配置されている。また、ファン（Ｂ）３２は、上下方向に空間を仕切るための仕切板（Ｂ）３４に取り付けられ、下部空間から上部空間に向かって空気を吐き出し、吐き出した空気が直接当たるよう熱源部品（Ｂ）３７を配置する。
【００１８】
側面放熱器（ＬＦ）１２及び側面放熱器（ＬＢ）１３は、外側に突出した鉛直方向に並ぶ複数のフィンを備え、フィンの内側にそれぞれ凹溝部を有する。また、側面放熱器（ＬＦ）１２及び側面放熱器（ＬＢ）１３の内側中央には、図２に示すように、凹溝部の中間部分を塞ぐように、それぞれ内部流路内壁（ＬＦ）１６及び内部流路内壁（ＬＢ）１７が取り付けられている。この内部流路内壁（ＬＦ）１６及び内部流路内壁（ＬＢ）１７によって、側面放熱器（ＬＦ）１２及び側面放熱器（ＬＢ）１３のそれぞれに、内部流路吸気口（ＬＦ）１２ａ，内部流路排気口（ＬＦ）１２ｂ及び内部流路吸気口（ＬＢ）１３ａ，内部流路排気口（ＬＢ）１３ｂが形成される。また、側面放熱器（ＬＦ）１２及び側面放熱器（ＬＢ）１３の内側外周には、凹溝が設けられ、そこにＯリングを嵌合し、シャーシ１１の左側面の開口に取り付けた状態で気密性が保たれるようになっている。つまり、フィンの内側はシャーシ１１とともに内部密閉構造を形成している。
また、同様に、側面放熱器（ＲＦ）１４及び側面放熱器（ＲＢ）１５は、外側に突出した鉛直方向に並ぶ複数のフィンを備え、フィンの内側にそれぞれ凹溝部を有する。また、側面放熱器（ＲＦ）１４及び側面放熱器（ＲＢ）１５の内側中央には、図３に示すように、凹溝部の中間部分を塞ぐように、それぞれ内部流路内壁（ＲＦ）１８及び内部流路内壁（ＲＢ）１９が取り付けられている。この内部流路内壁（ＲＦ）１８及び内部流路内壁（ＲＢ）１９によって、側面放熱器（ＲＦ）１４及び側面放熱器（ＲＢ）１５のそれぞれに、図示しない内部流路吸気口（ＲＦ）１４ａ，内部流路排気口（ＲＦ）１４ｂ及び内部流路吸気口（ＲＢ）１５ａ，内部流路排気口（ＲＢ）１５ｂが形成される。また、側面放熱器（ＲＦ）１４及び側面放熱器（ＲＢ）１５の内側外周には、凹溝が設けられ、そこにＯリングを嵌合し、シャーシ１１の右側面の開口に取り付けた状態で気密性が保たれるようになっている。つまり、フィンの内側はシャーシ１１とともに内部密閉構造を形成している。
【００１９】
［電子装置１の冷却方法］
次に、図５及び図６を参照し、本発明の電子装置１の冷却方法について、詳細に説明する。なお、図５及び図６において、黒の太矢印は冷却用の空気の流路を示している。
【００２０】
図５において、内部流路Ｒ１の矢印で示すように、電子装置１の仕切板（Ｍ）３５で仕切られた後方の空間では、主要熱源部品（Ｂ）３７の下側上向きに配置したファン（Ｂ）３２からの冷風を熱源部品（Ｂ）３７に直接吹き付けて熱を奪い、暖められた風が上方へと送られる。上方へ送られた暖風は、左右側面方向に分かれ、電子装置１の左右側面に配置された側面放熱器（ＬＢ）１３及び側面放熱器（ＲＢ）１５の内部流路吸気口（ＬＢ）１３ａ及び内部流路吸気口（ＲＢ）１５ａからフィン内側の凹溝部に流入し、流入した暖風はフィンへの熱伝達によって熱が奪われた後、側面放熱器（ＬＢ）１３及び側面放熱器（ＲＢ）１５の内部流路排気口（ＬＢ）１３ｂ及び内部流路排気口（ＲＢ）１５ｂから排出される。排出された冷風は、ファン（Ｂ）３２から吸入され、再び上方へと吐き出される。
以上のようにして、内部密閉構造の中で風の内部循環が行われ、冷却効率を上げている。
【００２１】
また、図６に示すように、側面放熱器（ＬＢ）１３及び側面放熱器（ＲＢ）１５をそれぞれ覆うように側面カバー（ＬＢ）２２及び側面カバー（ＲＢ）２４をシャーシ１１に取り付けたことによって、側面放熱器（ＬＢ）１３と側面カバー（ＬＢ）２２との間、及び側面放熱器（ＲＢ）１５と側面カバー（ＲＢ）２４との間に、それぞれ風の通り道である外部流路Ｒ２が形成され、側面カバー（ＬＢ）２２及び側面カバー（ＲＢ）２４の下部開口より入り込んだ冷風が上方に流れて行く。すなわち、側面カバー（ＬＢ）２２及び側面カバー（ＲＢ）２４の下部開口より入り込んだ空気は、側面放熱器（ＬＢ）１３及び側面放熱器（ＲＢ）１５それぞれのフィン内側の凹溝部を上方から下方に向かって流れる内部流路Ｒ１の暖風からフィンを介して熱を奪い、煙突効果によって下方から上方へと流れる。煙突効果は暖気が上昇することで起こる自然対流であり、外部流路Ｒ２上部にある側面カバー（ＬＢ）２２及び側面カバー（ＲＢ）２４の上部開口より暖気が排出される。このとき下部にある側面カバー（ＬＢ）２２及び側面カバー（ＲＢ）２４の下部開口より外部の冷気が吸気され、更に、側面放熱器（ＬＢ）１３及び側面放熱器（ＲＢ）１５それぞれのフィンから熱を奪う対流となる。
【００２２】
なお、側面放熱器（ＬＢ）１３及び側面放熱器（ＲＢ）１５それぞれのフィン内側に凹溝部を設けることにより、フィン内側の表面積を広く取ることができるので、内部流路Ｒ１からフィンへの熱伝達が効率良く行え、また、フィン自体の厚みを薄くすることができるので、フィン内での熱伝導が効率良く行え、結果、内部流路Ｒ１から外部流路Ｒ２への熱交換の効率が向上する。
また、側面放熱器（ＬＢ）１３及び側面放熱器（ＲＢ）１５との間で内部流路Ｒ１を形成するための内部流路内壁（ＬＢ）１７及び内部流路内壁（ＲＢ）１９に熱伝導率の低い断熱材（プラスチックなどの樹脂）を用いることにより、暖気による内部流路内壁（ＬＢ）１７及び内部流路内壁（ＲＢ）１９への熱伝達によって再度電子装置１内部を暖めることなく、流路外壁であるフィンに内部流路Ｒ１による熱を確実に伝えることが可能となる。上述した風の内部循環を繰り返すことで、装置内部より発生した熱を効率良く外部へと導くことができ、電子装置１内部を効率よく冷却することができる。
【００２３】
更に、図５及び図６に示すように、上下方向の空間を仕切る仕切板（Ｂ）３４を設け、仕切板（Ｂ）３４にファン（Ｂ）３２を配置することによって、ファン（Ｂ）３２による送風のショートパスを無くし冷却効率をあげることができる。この配置はファンの大きさに制限を受けることが無くファンを大型化することが容易である。大型化したファンを低速で回転し得られる流量は小型ファンを高速で回転させたときと同じ効果がある。このため、ファンの回転を低速化できるためファンの回転による騒音を低減することができる。また、流路の内部と外部は完全に分離されており内部から外部、外部から内部への風の流れが無く内部は完全な密閉構造とすることができる。内部密閉構造となった電子装置１は、ファンより発生する音の漏れが無くファンによる騒音の不快感を低減することができる。
【００２４】
また、電子装置１の仕切板（Ｍ）３５で仕切られた前方の空間では、上述した図５の内部流路Ｒ１と同様に、主要熱源部品（Ｆ）３６の下側上向きに配置したファン（Ｆ）３１からの冷風を熱源部品（Ｆ）３６に直接吹き付けて熱を奪い、暖められた風が上方へと送られる。上方へ送られた暖風は、左右側面方向に分かれ、電子装置１の左右側面に配置された側面放熱器（ＬＦ）１２及び側面放熱器（ＲＦ）１４の内部流路吸気口（ＬＦ）１２ａ及び内部流路吸気口（ＲＦ）１４ａからフィン内側の凹溝部に流入し、流入した暖風はフィンへの熱伝達によって熱が奪われた後、側面放熱器（ＬＦ）１２及び側面放熱器（ＲＦ）１４の内部流路排気口（ＬＦ）１２ｂ及び内部流路排気口（ＲＦ）１４ｂから排出される。排出された冷風は、ファン（Ｆ）３１から吸入され、再び上方へと吐き出される。
以上のようにして、内部密閉構造の中で風の内部循環が行われ、冷却効率を上げている。
【００２５】
また、上述した図６の外部流路Ｒ２と同様に、側面放熱器（ＬＦ）１２及び側面放熱器（ＲＦ）１４をそれぞれ覆うように側面カバー（ＬＦ）２１及び側面カバー（ＲＦ）２３をシャーシ１１に取り付けたことによって、側面放熱器（ＬＦ）１２と側面カバー（ＬＦ）２１との間、及び側面放熱器（ＲＦ）１４と側面カバー（ＲＦ）２３との間に、それぞれ風の通り道である外部流路Ｒ２が形成され、側面カバー（ＬＦ）２１及び側面カバー（ＲＦ）２３の下部開口より入り込んだ冷風が上方に流れて行く。すなわち、側面カバー（ＬＦ）２１及び側面カバー（ＲＦ）２３の下部開口より入り込んだ空気は、側面放熱器（ＬＦ）１２及び側面放熱器（ＲＦ）１４それぞれのフィン内側の凹溝部を上方から下方に向かって流れる内部流路Ｒ１の暖風からフィンを介して熱を奪い、煙突効果によって下方から上方へと流れる。煙突効果は暖気が上昇することで起こる自然対流であり、外部流路Ｒ２上部にある側面カバー（ＬＦ）２１及び側面カバー（ＲＦ）２３の上部開口より暖気が排出される。このとき下部にある側面カバー（ＬＦ）２１及び側面カバー（ＲＦ）２３の下部開口より外部の冷気が吸気され、更に、側面放熱器（ＬＦ）１２及び側面放熱器（ＲＦ）１４それぞれのフィンから熱を奪う対流となる。
【００２６】
なお、側面放熱器（ＬＦ）１２及び側面放熱器（ＲＦ）１４それぞれのフィン内側に凹溝部を設けることにより、フィン内側の表面積を広く取ることができるので、内部流路Ｒ１からフィンへの熱伝達が効率良く行え、また、フィン自体の厚みを薄くすることができるので、フィン内での熱伝導が効率良く行え、結果、内部流路Ｒ１から外部流路Ｒ２への熱交換の効率が向上する。
また、側面放熱器（ＬＦ）１２及び側面放熱器（ＲＦ）１４との間で内部流路Ｒ１を形成するための内部流路内壁（ＬＦ）１６及び内部流路内壁（ＲＦ）１８に熱伝導率の低い断熱材（プラスチックなどの樹脂）を用いることにより、暖気による内部流路内壁（ＬＦ）１６及び内部流路内壁（ＲＦ）１８への熱伝達によって再度電子装置１内部を暖めることなく、流路外壁であるフィンに内部流路Ｒ１による熱を確実に伝えることが可能となる。上述した風の内部循環を繰り返すことで、装置内部より発生した熱を効率良く外部へと導くことができ、電子装置１内部を効率よく冷却することができる。
【００２７】
更に、上下方向の空間を仕切る仕切板（Ｆ）３３を設け、仕切板（Ｆ）３３にファン（Ｆ）３１を配置することによって、ファン（Ｆ）３１による送風のショートパスを無くし冷却効率をあげることができる。この配置はファンの大きさに制限を受けることが無くファンを大型化することが容易である。大型化したファンを低速で回転し得られる流量は小型ファンを高速で回転させたときと同じ効果がある。このため、ファンの回転を低速化できるためファンの回転による騒音を低減することができる。また、流路の内部と外部は完全に分離されており内部から外部、外部から内部への風の流れが無く完全な内部密閉構造とすることができる。密閉構造となった電子装置１は、ファンより発生する音の漏れが無くファンによる騒音の不快感を低減することができる。
【００２８】
以上説明したように、本発明によれば、騒音の元となる外部吸気口及び外部排気口がなく、筐体側面に配置した放熱器及びカバーにより効率よく内部熱源部品の熱を奪い外部へ排出することができる。
【００２９】
なお、本発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【符号の説明】
【００３０】
１：電子装置、１１：シャーシ、１２：側面放熱器（ＬＦ）、１２ａ：内部流路吸気口（ＬＦ）、１２ｂ：内部流路排気口（ＬＦ）、１３：側面放熱器（ＬＢ）、１３ａ：内部流路吸気口（ＬＢ）、１３ｂ：内部流路排気口（ＬＢ）、１４：側面放熱器（ＲＦ）、１４ａ：内部流路吸気口（ＲＦ）、１４ｂ：内部流路排気口（ＲＦ）、１５：側面放熱器（ＲＢ）、１５ａ：内部流路吸気口（ＲＢ）、１５ｂ：内部流路排気口（ＲＢ）、１６：内部流路内壁（ＬＦ）、１７：内部流路内壁（ＬＢ）、１８：内部流路内壁（ＲＦ）、１９：内部流路内壁（ＲＢ）、２１：側面カバー（ＬＦ）、２２：側面カバー（ＬＢ）、２３：側面カバー（ＲＦ）、２４：側面カバー（ＲＢ）、３１：ファン（Ｆ）、３２：ファン（Ｂ）、３３：仕切板（Ｆ）、３４：仕切板（Ｂ）、３５：仕切板（Ｍ）、３６：熱源部品（Ｆ）、３７：熱源部品（Ｂ）、１００：カメラ本体、１０１：空冷ファン、１０２：熱源部品、Ｒ１：内部流路、Ｒ２：外部流路。
【図１】
2014187502.tif 000003
【図２】
2014187502.tif 000004
【図３】
2014187502.tif 000005
【図４】
2014187502.tif 000006
【図５】
2014187502.tif 000007
【図６】
2014187502.tif 000008
【図７】
2014187502.tif 000009
【図８】
2014187502.tif 000010